(57)【要約】  絶縁性ハウジングを備えるプラグコネクターであって、第１の面及び第２の面を有する絶縁性の壁を伴う絶縁性の長手方向基部であって、絶縁性の壁が、長手方向基部から延び、かつ長手方向基部を第１の部分と第２の部分とに分離する、絶縁性長手方向基部と、第１の通路の第１の群及び第２の群と、第１の通路に沿って構成された一組の第２の通路であって、各第２の通路が、絶縁性の壁の第１の面から長手方向基部の第１の部分まで延在する第１のセグメントと、絶縁性の壁の第２の面から長手方向基部の第２の部分まで延在する第２のセグメントと、第１のセグメントを第２のセグメントに接続する第３のセグメントと、を有する、一組の第２の通路と、第１の通路に配置された複数の信号接点と、を備える。【選択図】図１
2013522857.tif 000002
【特許請求の範囲】
【請求項１】
絶縁性ハウジングを備えるプラグコネクターであって、
第１の面及び第２の面を有する絶縁性の壁を伴う絶縁性の長手方向基部であって、前記絶縁性の壁が、前記長手方向基部から延び、かつ前記長手方向基部を第１の部分と第２の部分とに分離する、絶縁性の長手方向基部と、
第１の通路の第１の群及び第２の群であって、前記第１の通路の第１の群が前記絶縁性の壁の第１の面から前記長手方向基部の前記第１の部分まで延在し、前記第１の通路の第２の群が、前記絶縁性の壁の前記第２の面から前記長手方向基部の前記第２の部分まで延在する、第１の通路の第１の群及び第２の群と、
前記第１の通路に沿って構成された一組の第２の通路であって、各第２の通路が、前記絶縁性の壁の前記第１の面から前記長手方向基部の前記第１の部分まで延在する第１のセグメントと、前記絶縁性の壁の前記第２の面から前記長手方向基部の前記第２の部分まで延在する第２のセグメントと、前記第１のセグメントを前記第２のセグメントに接続する第３のセグメントと、を有する、一組の第２の通路と、
前記第１の通路に配置された複数の信号接点であって、各信号接点が、結合部分と、端末部分と、前記結合部分を前記端末部分に接続する係合部分と、を備える、信号接点と、
を備える、プラグコネクター。
【請求項２】
前記第２の通路に配置された複数の接地接点を更に備え、各接地接点は、第１のアームと、第２のアームと、接触体と、を備え、前記第１のアームは、前記第２の通路の前記第１のセグメントに配置され、前記第２のアームは、前記第２の通路の前記第２のセグメントに配置され、前記接触体は、前記第２の通路の前記第３のセグメントに配置される、請求項１に記載のプラグコネクター。
【請求項３】
前記接地接点の前記第１のアーム及び前記第２のアームの両方がそれぞれ、結合部分と、端末部分と、前記結合部分を前記端末部分に接続する係合部分と、を備える、請求項２に記載のプラグコネクター。
【請求項４】
前記絶縁性の壁が、前記絶縁性の壁の一端部から前記絶縁性の壁の反対の端部まで延在する長手方向通路を更に備える、請求項１〜３のいずれか一項に記載のプラグコネクター。
【請求項５】
前記長手方向通路に配置されたシールドプレートを更に備える、請求項４に記載のプラグコネクター。
【請求項６】
前記シールドプレートの少なくとも一端部上に構成された複数の端末脚を更に備える、請求項５に記載のプラグコネクター。
【請求項７】
ソケットコネクターであって、
それぞれの側壁が内面及び外面並びに第１の端壁及び第２の端壁を有する一対の側壁によって画定された凹部を伴う絶縁性ハウジングと、
前記側壁の前記内面に画定された複数の信号通路と、
前記信号通路に配置された複数の信号接点と、
任意的な補助シールドプレート上の複数の相補的保持装置と協働するように構成された前記絶縁性ハウジングの少なくとも１つの端壁上の複数の保持装置と、
前記側壁の第１の端部に近接して構成された第１のハウジング延長部及び前記側壁の第２の端部に近接して構成された第２のハウジング延長部であって、前記任意的な補助シールドプレートが前記ソケットコネクターに連結されたときに、前記第１及び第２のハウジング延長部の両方が前記任意的な補助シールドプレートと協働し、前記任意的な補助シールドプレートを前記絶縁性ハウジングに保持するように構成された、第１及び第２のハウジング延長部と、
を備える、ソケットコネクター。
【請求項８】
前記第１のハウジング延長部を前記第２のハウジング延長部に接合するハウジングレッジを更に備え、それによって前記絶縁性ハウジングの前記側壁と前記ハウジングレッジとの間に通路を画定し、その結果、任意的な補助シールドプレートが前記ソケットコネクターに連結されたときに、前記ハウジングレッジが、前記任意的な補助シールドプレートを少なくとも部分的に覆う、請求項７に記載のソケットコネクター。
【請求項９】
少なくとも１つの端末脚、及び前記第１のハウジング延長部から前記第２のハウジング延長部まで延在する長手方向シールド体に接続された少なくとも１つの端フィンガーを備える少なくとも１つの補助シールドプレートを更に備え、前記端フィンガーが、前記絶縁性ハウジングの前記端壁上の前記保持装置と協働し、かつ前記補助シールドプレートが前記ソケットコネクターに連結されたときに前記補助シールドプレートを前記絶縁性ハウジングに保持するように設計された、複数の相補的保持装置とともに構成される、請求項７又は請求項８に記載のソケットコネクター。
【請求項１０】
前記絶縁性ハウジングの前記端壁に構成された前記保持装置が、前記端壁の方に内向きに延在する溝であり、前記補助シールドプレート上の前記相補的保持装置が、前記絶縁性ハウジングの前記端壁の方へ向かって前記端フィンガーから離れる方向に延在するラッチであり、その結果、前記ラッチは、前記溝と係合し、前記補助シールドプレートが前記ソケットコネクターに連結されたときに、前記補助シールドプレートを前記絶縁性ハウジングに保持する、請求項９に記載のソケットコネクター。
【請求項１１】
基板同士相互接続システムであって、
請求項１〜６のいずれか一項に記載のプラグコネクターと、
請求項７〜１０のいずれか一項に記載のソケットコネクターと、
を備える、基板同士相互接続システム。
【発明の詳細な説明】
【技術分野】
【０００１】
本発明は、基板同士コネクターに関し、より具体的には、シールドされた電気基板同士の接続コネクターに関する。
【背景技術】
【０００２】
電気基板同士の相互接続システムは、通常、一対のプラグコネクター及びソケットコネクターを含み、それぞれはプリント基板（ＰＣＢ）上に取り付けられ、両方は互いに機械的かつ電気的に結合するように適応される。従来の基板同士の相互接続システムは、概して、信号ノイズ及び電磁的妨害（ＥＭＩ）がそれほど重大な問題ではない低速の電送環境において使用されている。したがって、従来のシステムは、通常、ノイズ及びＥＭＩを取り除くための特有のシールド又は接地接点を有さない。
【０００３】
より高速の電送に対する需要、並びに電子機器の小型化の結果として使用される電気コネクターのサイズが縮小されたことに伴い、従来の基板同士の相互接続システムを改善する必要がある。
【０００４】
そのような改善された相互接続システムの一例が、米国特許第５，９１５，９７６号に開示されている。プラグコネクターのシールドは、プラグコネクターのハウジングの側壁上に取り付けられ、プラグコネクターのいくつかの接点と選択的に接続される。各シールドは、係合アームを有する。それに対応して、多くの接地接点がソケットコネクターのハウジングに配置される。接地接点は、シールドの係合アームと係合し、ソケットコネクターの対応する接点と接続する。このようにして、ＥＭＩ及びノイズはシールド及び接地接点を介して地面に消散される。
【０００５】
しかし、シールドがプラグコネクターのハウジングの側壁の外側上に取り付けられ、接地接点がシールドの係合アームへ挿入されるため、シールドは、プラグコネクターとソケットコネクターが互いに嵌め合わされたときに、プラグコネクターのハウジングの側壁から分離しやすい。これは、シールドの係合アーム上に作用する接地接点の押す力による。そのような分離が生じると、シールドと接地接点との間の接地接続は役に立たなくなる。
【発明の概要】
【発明が解決しようとする課題】
【０００６】
本発明は、最小限のクロストーク及び良好なＥＭＩシールディングを伴うプラグコネクター及びソケットコネクターを目的とする。
【課題を解決するための手段】
【０００７】
最小限のクロストーク及び良好なＥＭＩシールディングを伴うプラグコネクター及びソケットコネクターを提供することは望ましいであろう。
【０００８】
本発明の一実施形態により、絶縁性ハウジングを備えるプラグコネクターが提供され、このプラグコネクターは、第１の面及び第２の面を有する絶縁性の壁を伴う絶縁性の長手方向基部であって、絶縁性の壁が、長手方向基部から延び、かつ長手方向基部を第１の部分と第２の部分とに分離する、絶縁性長手方向基部と、第１の通路の第１の群及び第２の群であって、第１の通路の第１の群が絶縁性の壁の第１の面から長手方向基部の第１の部分まで延在し、第１の通路の第２の群が、絶縁性の壁の第２の面から長手方向基部の第２の部分まで延在する、第１の通路の第１の群及び第２の群と、第１の通路に沿って構成された一組の第２の通路であって、各第２の通路が、絶縁性の壁の第１の面から長手方向基部の第１の部分まで延在する第１のセグメントと、絶縁性の壁の第２の面から長手方向基部の第２の部分まで延在する第２のセグメントと、第１のセグメントを第２のセグメントに接続する第３のセグメントと、を有する、一組の第２の通路と、第１の通路に配置された複数の信号接点であって、各信号接点が、結合部分と、端末部分と、結合部分を端末部分に接続する係合部分と、を備える、信号接点と、を備える。
【０００９】
本発明の別の実施形態において、ソケットコネクターが提供され、このソケットコネクターは、それぞれの側壁が内面及び外面並びに第１の端壁及び第２の端壁を有する一対の側壁によって画定された凹部を伴う絶縁性ハウジングと、側壁の前記内面に画定された複数の信号通路と、信号通路に配置された複数の信号接点と、任意的な補助シールドプレート上の複数の相補的保持装置と協働するように構成された絶縁性ハウジングの少なくとも１つの端壁上の複数の保持装置と、側壁の第１の端部に近接して構成された第１のハウジング延長部及び前記側壁の第２の端部に近接して構成された第２のハウジング延長部であって、前記任意的な補助シールドプレートが前記ソケットコネクターに連結されたときに、前記第１及び第２のハウジング延長部の両方が前記任意的な補助シールドプレートと協働し、前記任意的な補助シールドプレートを前記絶縁性ハウジングに保持するように構成された、第１及び第２のハウジング延長部と、を備える。
【００１０】
本発明は更に、本明細書に記載されるか又は添付図面に示される部品又は特性のあらゆる代替的な組み合わせを含む。明示的には記載されていないこれらの部品又は特性の既知の同等物も、やはり含まれると見なされる。
【図面の簡単な説明】
【００１１】
本発明の例示の形態は、これより添付の図面を参照して記載される。
【図１】本発明の一つの実施形態による相互接続システムを形成する例示のプラグコネクター及び例示のソケットコネクターの斜視図。
【図２】図１のプラグコネクターの分解斜視図。
【図３】図１のソケットコネクターの分解斜視図。
【図４】一組の信号接点が位置づけられている場所で取られた、中間結合位置における図１のプラグコネクター及びソケットコネクターの断面図。
【図５】接地接点が位置づけられている場所で取られた、中間結合位置における図１のプラグコネクター及びソケットコネクターの断面図。
【図６】本発明の別の実施形態による一組の信号接点、一組の接地接点、及び複数のシールドプレートの配列の斜視図。
【図７】ソケットコネクター上の保持装置に連結された任意的な補助シールドプレート上に相補的保持装置を有する図１のソケットコネクターの断面図。
【図８】本発明の別の実施形態によるソケットコネクターの斜視図。
【図９】相互接続システムの一端で取られた中間結合位置における図１のプラグコネクター及びソケットコネクターの斜視図。  上で特定した図面は、本発明のいくつかの実施形態を示しているが、考察部分で述べているように、他の実施形態も考えられる。いずれの場合も、本開示は、限定する目的ではなく、説明する目的で本発明を提示している。本発明の原理の範囲及び趣旨に含まれる多数の他の修正及び実施形態が、当業者によって考案され得ることを理解されたい。図は、縮尺どおりに描かれていない場合もある。図の全体にわたって、同様の参照番号を用いて同様の部分を示している。
【発明を実施するための形態】
【００１２】
図１を参照すると、本発明の一実施形態による電気基板同士の相互接続システムは、プラグコネクター１０００とソケットコネクター２０００とを備える。
【００１３】
図２は、図１に示した例示のプラグコネクター１０００の分解図を提供する。プラグコネクター１０００は、第１の面１２１０及び第２の面１２２０を有する絶縁性の壁１２００を伴う絶縁性の長手方向基部１１００を備える絶縁性のハウジング１０１０を備える。一実施形態では、絶縁性の壁１２００は長手方向基部１１００から延出して、長手方向基部１１００を第１の部分１１１０と第２の部分１１２０とに分離する。
【００１４】
プラグコネクター１０００は、一組の第１の通路１３１０及び一組の第２の通路１３２０を更に備える。また、図４及び図５を参照すると、本発明の一実施形態では、一組の第１の通路１３１０は第１の群１３１１と第２の群１３１２とに分割され、第１の通路１３１０の第１の群１３１１は、絶縁性の壁１２００の第１の面１２１０から長手方向基部１１００の第１の部分１１１０まで延び、第１の通路１３１０の第２の群１３１２は、絶縁性の壁１２００の第２の面１２２０から長手方向基部１１００の第２の部分１１２０まで延在する。
【００１５】
本発明の一実施形態では、一組の第２の通路１３２０は、第１の通路１３１０に沿って構成され、各第２の通路１３２０は、絶縁性の壁１２００の第１の面１２１０から長手方向基部１１００の第１の部分１１１０に延在する第１のセグメント１３２１と、絶縁性の壁１２００の第２の面１２２０から長手方向基部１１００の第２の部分１１２０に延在する第２のセグメント１３２２と、第１のセグメント１３２１を第２のセグメント１３２２に接続する第３のセグメント１３２３と、を有する。
【００１６】
本発明の一実施形態には、各第１の通路１３１０に配置された信号接点１４００、及び各第２の通路１３２０に配置された接地接点１５００がある。各信号接点１４００は、結合部分１４１０と、端末部分１４３０と、結合部分１４１０を端末部分１４３０に接続する係合部分１４２０と、を備える。各接地接点１５００は、第１のアーム１５１０と、第２のアーム１５２０と、接触体１５３０と、を備え、第１のアーム１５１０は、第２の通路１３２０の第１のセグメント１３２１に配置され、第２のアーム１５２０は、第２の通路１３２０の第２のセグメント１３２２に配置され、接触体１５３０は、第２の通路１３２０の第３のセグメント１３２３に配置される。接地接点１５００の第１のアーム１５１０及び第２のアーム１５２０の両方はそれぞれ、結合部分１６１０と、端末部分１６３０と、結合部分１６１０を端末部分１６３０に接続する係合部分１６２０と、を有する。
【００１７】
本発明の一実施形態では、絶縁性の壁１２００は、絶縁性の壁１２００の一端部から絶縁性の壁１２００の反対の端部まで延在する長手方向通路１７００を更に備える。本発明の別の実施形態では、プラグコネクター１０００は、長手方向通路１７００に配置されたシールドプレート１７１０を更に備える。シールドプレート１７１０は、シールドプレート１７１０の少なくとも一端部上に構成された複数の端末脚１７２０を更に含んでもよい。
【００１８】
図６を参照すると、プラグコネクター１０００が接続されることになるプリント基板（ＰＣＢ）の接地トレース（図示せず）に接地接点１５００の端末部分１６３０（図示せず）が接続されたとき、接地接点１５００は、接地接点１５００の片側上に配置された左信号接点１４００ｌと、接地接点１５００のもう１つの側に配置された右信号接点１４００ｒとの間のクロストークを最小限にする。
【００１９】
プラグコネクター１０００が接続されることになるプリント基板（ＰＣＢ）の接地トレース（図示せず）にシールドプレート１７１０の端末脚１７２０が接続されたとき、シールドプレート１７１０は、第１の通路１３１０の第１の群１３１１に配置された信号接点１４００ｆと、第１の通路１３１０の第２の群１３１２に配置された信号接点１４００ｓとの間のクロストークを最小限にする。
【００２０】
図３は、図１に示した例示のソケットコネクター２０００の分解図を提供する。プラグコネクター２０００は、それぞれの側壁が内面２１１０及び外面２１２０、第１の端壁２２１０及び第２の端壁２２２０、並びに側壁の第１の端部に近接して構成された第１のハウジング延長部２５１０及び側壁の第２の端部に近接して構成された第２のハウジング延長部２５２０を有する一対の側壁２１００によって画定された凹部２０２０を伴う絶縁性ハウジング２０１０と、側壁２１００の内面２１１０に画定された複数の信号通路２３００と、信号通路２３００に配置された複数の信号接点２３１０と、を備える。
【００２１】
本発明の一実施形態では、ソケットコネクター２０００は、任意的な補助シールドプレート２４００上の複数の相補的保持装置２６００と協働するように構成された絶縁性ハウジング２０１０の少なくとも１つの端壁上に複数の保持装置２３２０を更に備える。任意的な補助シールドプレート２４００は、外部環境に対する追加的なＥＭＩシールディングを提供する。したがって、外部環境に対する良好なＥＭＩシールディングを提供することが重要ではない用途では、ソケットコネクター２０００は、任意的な補助シールドプレート２４００を必要としなくてもよい。
【００２２】
本発明の一実施形態では、ソケットコネクター２０００は、少なくとも１つの端末脚２６２０、及び第１のハウジング延長部２５１０から第２のハウジング延長部２５２０まで延在する長手方向シールド体２４２０に接続された少なくとも１つの端フィンガー２４１０を備える少なくとも１つの補助シールドプレート２４００と連結され、端フィンガー２４１０は、複数の相補的保持装置２６００とともに構成される。第１のハウジング延長部２５１０及び第２のハウジング延長部２５２０は、絶縁性ハウジング２０１０の端壁上の保持装置２３２０と協働するように設計された補助シールドプレート２４００の端フィンガー２４１０上の相補的保持装置２６００とともになって、補助シールドプレート２４００がソケットコネクター２０００に連結されたときに補助シールドプレート２４００を絶縁性ハウジング２０１０に保持する。
【００２３】
図７を参照すると、本発明の一実施形態では、絶縁性ハウジング２０１０の端壁に構成された保持装置２３２０は、限定はされないが、端壁に向かって内向きに延在する溝２３３０であってよく、補助シールドプレート２４００上の相補的保持装置２６００は、限定はされないが、端フィンガー２４１０から絶縁性ハウジング２０１０の端壁の方へ向かって離れる方向に延在するラッチ２６１０であってよい。
【００２４】
補助シールドプレート２４００をソケットコネクター２０００に連結するために、補助シールドプレート２４００はソケットコネクター２０００の上から装着される。補助シールドプレート２４００がソケットコネクター２０００に向かって（矢印Ｄによって図示されているように）縦に下へ移動する際、絶縁ハウジング２０１０の端壁は、ラッチ２６１０が端壁を縦断するので、補助シールドプレート２４００上のラッチ２６１０を端フィンガー２４１０の方へ屈曲させる。ラッチ２６１０が溝２３３０の前の縁部２３４０を通過すると同時に、ラッチ２６１０は直ちにその元の位置に戻り、端壁内で溝２３３０と係合する。これで補助シールドプレート２４００はソケットコネクター２０００に連結及び保持され、補助シールドプレート２４００がソケットコネクター２０００から誤って外れることはない。
【００２５】
図８及び図９を参照すると、本発明の一実施形態では、ソケットコネクター２０００は、第１のハウジング延長部２５１０を第２のハウジング延長部２５２０に接合するハウジングレッジ２５３０を更に備え、それによって絶縁性ハウジング２０１０の側壁２１００とハウジングレッジ２５３０との間に通路２５４０を画定する。本発明の別の実施形態では、ハウジングレッジ２５３０は、任意的な補助シールドプレート２４００がソケットコネクター２０００と連結されたときに、少なくとも部分的に任意的な補助シールドプレート２４００を覆う。ハウジングレッジ２５３０は、更に、任意的な補助シールドプレート２４００をソケットコネクター２０００に保持し、任意的な補助シールドプレート２４００が何らかの外的な力によって損傷するのを防ぐ役割を果たす。
【００２６】
任意的な補助シールドプレート２４００の端末脚２６２０が、ソケットコネクター２０００が接続されることになるプリント基板（ＰＣＢ）の接地トレース（図示せず）に接続されると、任意的な補助シールドプレート２４００は、ソケットコネクター２０００のために外部環境に対するＥＭＩシールディングを提供する。
【００２７】
信号接点１４００と平行に配置された接地接点１５００、プラグコネクター１０００の長手方向通路１７００に配置されたシールドプレート１７１０、及び任意的な補助シールドプレート２４００とソケットコネクター２０００との連結の組み合わせは、図６に示されるように、指定された区域Ａ内に信号の各セットを閉じ込める。したがって、プラグコネクター１０００がソケットコネクター２０００に連結されたときに基板同士相互接続システム１がどのように信号接点間のクロストークを低減し外部環境に対するＥＭＩシールディングを下げるかは明白である。
【００２８】
項目１は、絶縁性ハウジングを備えるプラグコネクターであって、
第１の面及び第２の面を有する絶縁性の壁を伴う絶縁性の長手方向基部であって、絶縁性の壁が、長手方向基部から延び、かつ長手方向基部を第１の部分と第２の部分とに分離する、絶縁性の長手方向基部と、
第１の通路の第１の群及び第２の群であって、第１の通路の第１の群が絶縁性の壁の第１の面から長手方向基部の第１の部分まで延在し、第１の通路の第２の群が、絶縁性の壁の第２の面から長手方向基部の第２の部分まで延在する、第１の通路の第１の群及び第２の群と、
第１の通路に沿って構成された一組の第２の通路であって、各第２の通路が、絶縁性の壁の第１の面から長手方向基部の第１の部分まで延在する第１のセグメントと、絶縁性の壁の第２の面から長手方向基部の第２の部分まで延在する第２のセグメントと、第１のセグメントを第２のセグメントに接続する第３のセグメントと、を有する、一組の第２の通路と、
第１の通路に配置された複数の信号接点であって、各信号接点が、結合部分と、端末部分と、結合部分を端末部分に接続する係合部分と、を備える、信号接点と、を備える。
【００２９】
項目２は、項目１のプラグコネクターであって、第２の通路に配置された複数の接地接点を更に備え、各接地接点は、第１のアームと、第２のアームと、接触体と、を備え、第１のアームは、第２の通路の第１のセグメントに配置され、第２のアームは、第２の通路の第２のセグメントに配置され、接触体は、第２の通路の第３のセグメントに配置される。
【００３０】
項目３は、接地接点の第１のアーム及び第２のアームの両方がそれぞれ、結合部分と、端末部分と、結合部分を端末部分に接続する係合部分と、を備える、項目２のプラグコネクターである。
【００３１】
項目４は、絶縁性の壁が、絶縁性の壁の一端部から絶縁性の壁の反対の端部まで延在する長手方向通路を更に備える、項目１〜項目３のうちの１つのプラグコネクターである。
【００３２】
項目５は、長手方向通路に配置されたシールドプレートを更に備える、項目４のプラグコネクターである。
【００３３】
項目６は、シールドプレートの少なくとも一端部上に構成された複数の端末脚を更に備える、項目５のプラグコネクターである。
【００３４】
項目７はソケットコネクターであって、
それぞれの側壁が内面及び外面並びに第１の端壁及び第２の端壁を有する一対の側壁によって画定された凹部を伴う絶縁性ハウジングと、
側壁の内面に画定された複数の信号通路と、
信号通路に配置された複数の信号接点と、任意的な補助シールドプレート上の複数の相補的保持装置と協働するように構成された絶縁性ハウジングの少なくとも１つの端壁上の複数の保持装置と、
側壁の第１の端部に近接して構成された第１のハウジング延長部及び側壁の第２の端部に近接して構成された第２のハウジング延長部であって、任意的な補助シールドプレートがソケットコネクターに連結されたときに、第１及び第２のハウジング延長部の両方が任意的な補助シールドプレートと協働し、任意的な補助シールドプレートを絶縁性ハウジングに保持する、第１及び第２のハウジング延長部と、を備える。
【００３５】
項目８は、項目７のソケットコネクターであって、第１のハウジング延長部を前記第２のハウジング延長部に接合するハウジングレッジを更に備え、それによって絶縁性ハウジングの側壁とハウジングレッジとの間に通路を画定し、その結果、任意的な補助シールドプレートがソケットコネクターに連結されたときに、ハウジングレッジが、任意的な補助シールドプレートを少なくとも部分的に覆う。
【００３６】
項目９は、項目７又は項目８のソケットコネクターであって、少なくとも１つの端末脚、及び第１のハウジング延長部から第２のハウジング延長部まで延在する長手方向シールド体に接続された少なくとも１つの端フィンガーを備える少なくとも１つの補助シールドプレートを更に備え、端フィンガーが、絶縁性ハウジングの端壁上の保持装置と協働し、かつ補助シールドプレートがソケットコネクターに連結されたときに補助シールドプレートを絶縁性ハウジングに保持するように設計された、複数の相補的保持装置とともに構成される。
【００３７】
項目１０は、項目９のソケットコネクターであって、絶縁性ハウジングの端壁に構成された保持装置が、端壁の方に内向きに延在する溝であり、補助シールドプレート上の相補的保持装置が、絶縁性ハウジングの端壁の方へ向かって端フィンガーから離れる方向に延在するラッチであり、その結果、ラッチは、溝と係合し、補助シールドプレートがソケットコネクターに連結されたときに、補助シールドプレートを絶縁性ハウジングに保持する。
【００３８】
項目１１は、基板同士相互接続システムであって、
項目１〜６のいずれか１つのプラグコネクターと、
項目７〜１０のいずれか１つのソケットコネクターと、を備える。
【００３９】
本発明の好ましい実施形態の前述の説明は、例示及び説明の目的で提示してきたものである。以上の教示を考慮すれば、多くの修正形態及び変形形態が可能であるため、それは、包括的であることも、開示されたまさにその形態に本発明を限定することも意図していない。かかる修正及び変形のすべてが、本発明の範囲内である。本明細書に記載の実施形態は、本発明の原理及びその実際的な用途の最良の説明を提供し、それによって当業者が本発明を様々な実施形態で、また企図される特定の用途に適するように様々な修正を行って利用できるように、選択され説明された。合法的かつ公正に適した全容に従って解釈されるとき、本発明の範囲は、本明細書に添付される請求項により定義されることが意図される。
【図１】
2013522857.tif 000003
【図２】
2013522857.tif 000004
【図３】
2013522857.tif 000005
【図４】
2013522857.tif 000006
【図５】
2013522857.tif 000007
【図６】
2013522857.tif 000008
【図７】
2013522857.tif 000009
【図８】
2013522857.tif 000010
【図９】
2013522857.tif 000011
【国際調査報告】
2013522857.tif 000012
2013522857.tif 000013